(57)【要約】　　　（修正有）【課題】インターネットサイトの新しい宣伝方法と販売方法及び新しい領収システムを提供する。【解決手段】インターネット上に、宣伝及販売促進のためのＨＰを開設し、フロッピー（登録商標）ディスク１にこのＨＰアドレスを開ける各種ブラウザの関連付けファイル３を格納し、販売または配布する。このディスクを使用することにより顧客に新しい販売システムを提供出来ると共に、インターネット上の新しい楽しみを付加することが出来る。【選択図】　　図１
2004013889.tif 000002
【特許請求の範囲】
【請求項１】
フロッピーディスク（１）　（１）に目的のＨＰを開けるブラウザ（２）　（２）の関連付けファイル（３）　（３）を格納して、営利目的で販売または配布するフロッピーディスク（５）　（５）、及び、＜サービス形態２、３＞に示す領収システム
【発明の詳細な説明】
【０００１】
【発明の属する技術分野】
本発明は、フロッピーディスクを利用した宣伝の技術とインターネット上の、有料サービスの、領収システムに関するものである。
【０００２】
【従来の技術】
インターネットＨＰを宣伝する方法としてバナーによるリンクや、ホームページアドレスを様々な方法用いて宣伝していた。クレジットカードによる領収形態はあった。
【０００３】
【発明が解決しようとする課題】
これらには次の様な欠点があった。
イ）　バナーによる宣伝はインターネットにつながないと効果がなく、そのインターネット自体が面白くなければ意味がない。
ロ）　又、それを含むその他のホームページアドレスの宣伝方法は、ユーザーがアドレスを注意し管理しないと忘れ去られる。
ハ）　インターネットに大規模なショッピングサイトを構築するにあたって、インターネット自体に集客力がなかった。
以上を解決すると共に、
インターネットサイトの新しい宣伝方法と販売方法及び新しい領収システムを開発し、インターネットの新しい楽しみを付加する。
【０００４】
【課題を解決する為の手段】
インターネット上に、価値あるＨＰを開設し、フロッピーディスク（１）　（１）にＨＰアドレスを開ける各種ブラウザ（２）　（２）の関連付けファイル（３）　（３）を格納し、販売または配布する。
【０００５】
【発明の実施の形態】
＜サービス形態１＞　宣伝用フロッピーディスク
インターネット上にインターネットショッピングタウン（４）　（４）を構築し、フロッピーディスク（１）　（１）にクリックするとブラウザを立ち上げ、宣伝するＨＰを開ける各種ブラウザの関連付けファイル［ＨＰファイル］（３）　（３）を格納したフロッピーディスク（５）　（５）をインターネットショッピングカード（６）　（６）として販売又は配布する。インターネットのスタンダードなショッピング方法として定着すれば、掲載料で運営出来る他、直営で、幅広く商売をすれば最も有効な宣伝販売スタイルのひとつとなる。たとえばそれは、インターネット百貨店そごう等とラベルして、そごうが、インターネット上に百貨店を開いてフロッピーを配布しても良いわけである。フロッピーを使うことで、たえずアピールされ、また紙と違って、たやすく捨てられたりせず、すぐに使え重宝されるから、その宣伝効果は、非常に高いといえるし、何十円かで販売しても、インターネットを活用する楽しみとして買う人も充分いるはずである。検索で、社名を記入するより楽しいと感じる人もいるし、数十円の価値は、充分にあるからである。フロッピーにサービスファイルを同時に格納しておいて、メールで送れば何らかの特典がついていれば、なお効果を増すに違いない。
＜サービス形態２＞有料入場
インターネット上に、釣り新聞などの有料サイト（７）　（７）を運営し、フロッピーディスク（１）　（１）にＨＰファイル（３）　（３）と、サイトのアドレスを付したメール（８）　（８）が現れる、メールファイル（９）　（９）と、入場パス（１０）　（１０）を受け取るためのマネーファイル（１１）　（１１）を格納し、そのフロッピーディスク（１２）　（１２）にフロッピー番号（１３）　（１３）を付けて、インターネットカード「インターネット釣りマガジン」（１４）　（１４）等として販売する。ユーザー（１５）　（１５）はこれを購入し、フロッピーディスクドライブ（１６）　（１６）を開けてメールファイル（９）　（９）にマネーファイル（１１）　（１１）を添付して件名（２５）　（２５）にフロッピー番号（１３）　（１３）を記入し送信する。返信メール（１７）　（１７）で入場パス（１０）　（１０）を受け取る。パスは有効期限を過ぎて消滅する。なお有効期限は最終有効期限と、初めて利用した時からの有効期限があるものとする。またメール（８）　（８）にあらかじめマネーファイル（１１）　（１１）を添付しておく。
＜サービス形態３＞インターネット販売
上記のサービスとその領収を含めたカードとして、インターネットカード３０００（１８）　（１８）を販売する。３０００と言うのはデフォルトで３０００円分使用出来る意味を表す。まず、サーバーに集計機（１９）　（１９）を設置する。次にフロッピーディスク（１）　（１）に１、ＨＰファイル（３）　（３）と、２、メールファイル（９）　（９）と、３、マネーファイル（１１）　（１１）と４、パス確認ファイル（２０）　（２０）、と５、説明書ファイル（２１）　（２１）を格納し、フロッピー番号（１３）　（１３）をラベルし、インターネット３０００等として販売する。マネーファイル（１１）　（１１）とは、番号情報暗号ファイルで、金額情報が登録されているサーバーのアドレス番号情報（２２）　（２２）を含む、フロッピー番号（１３）　（１３）と組になった番号情報（２３）　（２３）を持っていて、そのマネーファイル（１１）　（１１）の番号情報（２３）　（２３）とフロッピー番号（１３）　（１３）の一致で届くメール（８）　（８）を認証する。なお商品購入の時は、ＨＰのフォーム（２４）　（２４）でフロッピー番号（１３）　（１３）とパスワード（１０）（１０）の記入で、フォーム（２４）　（２４）が認証されるので、上記３つの情報がなければ購入できない。パス確認ファイル（２０）　（２０）とは、パスワード（１０）　（１０）を忘れた時に使用するもので、自分のパソコンで、件名（２５）　（２５）にフロッピー番号（１３）　（１３）を記入して、パス確認ファイル（２０）　（２０）を添付して送ると、パス（１０）　（１０）が送られてくる。　ユーザー（１５）　（１５）は、インターネットカード３０００（１８）　（１８）を購入し、メールファイル（９）　（９）をクリックするとマネーファイル（１１）　（１１）があらかじめ添付されたメール（８）　（８）が現れるので、件名（２５）　（２５）にフロッピー番号（１３）　（１３）を記入して送信すると、フロッピー番号（１３）　（１３）と、マネーファイルの番号情報（２３）　（２３）を照合して認証し、そのフロッピーのパス（１０）　（１０）が送られてくる。次にユーザー（１５）　（１５）は、ＨＰファイル（３）　（３）をクリックすると、このインターネットカード（１８）　（１８）が利用出来るサイトのＨＰ（２６）　（２６）が現れるので、そこで、利用したいサービスをクリックする。現れるフォーム（２４）　（２４）で、商品と金額を確認してフロッピー番号（１３）　（１３）とパス（１０）　（１０）を記入して送信する。フロッピー番号とパスを照合してフォームは受け付け番号（２７）　（２７）をつけて運営者の集計機（１９）　（１９）に送られ、ブラウザ（２）　（２）にその受付番号（２７）　（２７）を残すので、メールファイル（９）　（９）をクリックして現れるメール（８）　（８）に、受け付け番号（２７）　（２７）を記入して送信、集計機（１９）　（１９）は受け付け番号（２７）　（２７）からフォーム（２４）　（２４）をみつけ、マネーファイル（１１）　（１１）の番号情報（２３）　（２３）を照合してメール（８）　（８）を認証し、フォーム（２４）　（２４）のフロッピー番号（１３）　（１３）とメール（８）　（８）のマネーファイルの番号情報（２３）　（２３）を照合して認証し、次に残高の確認をする。マネーファイル（１１）　（１１）から金額情報が管理されているサーバー内のアドレス番号（２２）　（２２）を割り出し、残高に問題がなければ、サービスの発注をし、金額情報を書きかえる。サービスの実行として、たとえば有料入場であれば、そのサイトのＨＰファイル（３）　（３）がメールで送られると共にパスワード（１０）　（１０）とフロッピー番号（１３）　（１３）が登録され、そのサービスのパス（１０）　（１０）が有効となる。また、残高が足りなければ、返信メール（１７）　（１７）で、キャンセルか、新しいフロッピー（２８）　（２８）のメール（２９）　（２９）の件名（２５）　（２５）に受け付け番号（２７）　（２７）、用件に新しいフロッピー番号（３０）　（３０）を記入して送信するよう要求してくるので、それに従う。再度送られて来た新しいメール（２９）　（２９）の受け付け番号（２７）　（２７）からフォーム（２４）　（２４）を割り出し、新しいフロッピー番号（３０）　（３０）とマネーファイルの番号情報（２３）を照合して認証し、金額情報を書きかえる。パスワード（１０）　（１０）はそのフロッピー（２８）　（２８）に引き継がれる。あるいは、新しいフロッピーがすでにパスワードを受け取っている場合は、その番号が使用される。この領収システムにより、低額の物品の販売も可能となる。また、送料等の保証金を徴収するなどもでき、販売リスクを押さえることも出来る。
【０００６】
【実施例】
インターネットに点在するショッピングサイトをひとつにまとめ、分類整理して、専門分野別のマップを作り、「インターネットショッピングタウン」（４）　（４）を構築する。インターネットショッピングタウンのＨＰアドレスを開く各種ブラウザ（２）　（２）の関連付けファイル（３）　（３）を格納し、インターネットショッピングカード（６）　（６）と銘打ってコンビニエンスストアーや書店などで販売または配布する。ユーザー（１５）　（１５）は、これを購入または配布により入手し、ドライブ（１６）　（１６）を開いて自分のブラウザの関連付けファイル（３）　（３）をクリックして、インターネットショッピングタウン（４）　（４）を開いて、そこでショッピングを楽しむ。ショッピングタウンは、インターネットでのショッピングのメジャーサイトとして定着することをめざし、ユーザーが利用し易い様に、専門分野別に商店を整理し、マップ状にするなどしてインターネットショッピングカード（６）　（６）を価値在るようにして、利用者が増えるように努め、掲載料の交渉などにより運営する。なお、別の応用例として、有料入場サービスの例をあげる。フロッピー（１）　（１）に釣り情報を満載したＨＰサイト釣りマガジン（１４）　（１４）、のサイトのＨＰを開けるファイル（３）　（３）と、マネーファイル（１１）　（１１）と、メールファイル（９）　（９）を格納し釣りマガジン（１４）　（１４）と銘打って販売する。ユーザーはこれを購入して、メール（８）　（８）でマネーファイル（１１）　（１１）を送信すると、パスワード（１０）　（１０）が返信されてくるので、ＨＰファイル（３）　（３）をクリックして、ＨＰを開ける。すると、入場フォーム（３１）　（３１）になっているので、そこにパスワード（１０）　（１０）を打ち込んで送信をクリック、パスが正しければ釣り新聞のＨＰに入場できる。そのパスワードは１ヶ月有効となる。次に上記のサービスが充実してくると、それらをまとめて利用するための領収カードが可能となる。まず集計機（１９）　（１９）をサーバー（３６）　（３６）に接続し、インターネットとつないでおく。次に、インターネット上にインターネットカードのサービスサイト（２６）　（２６）構築しておく。フロッピーディスク（１）に、ＨＰファイル（３）　（３）とメールファイル（９）、マネーファイル（１１）、パス確認ファイル（２０）、説明書ファイル（２１）　（２１）の５つのファイルを格納し、フロッピー番号（１３）　（１３）をラベルして、インターネットカード３０００（１８）　（１８）として売り出す。ユーザーは、これを購入して、メールファイル（９）をクリックする。するとマネーファイル（１１）　（１１）が添付された、運営者宛のメール（８）　（８）が現れるので、フロッピー番号（１３）　（１３）を、件名（２５）　（２５）に記入して送信する。メール（８）は集計機（１９）　（１９）に送られ、フロッピー番号（１３）　（１３）と、マネーファイルの暗号情報（２３）　（２３）を照合して認証し、パスワード（１０）　（１０）を発行登録して、返信メール（１７）　（１７）で、パスワード（１０）　（１０）を送ってくるのでユーザー（１５）　（１５）はこれを保管して次にＨＰファイル（３）　（３）をクリックしてインターネットカードのＨＰ（２６）　（２６）を呼び出す。そこで、受けたいサービス（３２）　（３２）を選んで、支払い（３２）　（３２）をクリックすると、支払いフォーム（２４）　（２４）が現れるので、そこに、フロッピー番号（１３）（１３）とパス（１０）　（１０）を記入して送信をクリックする。パス（１０）　（１０）が正しければ、その支払いフォーム（２４）　（２４）は受け付け番号（２７）　（２７）をつけて、集計機（１９）　（１９）で待機し、ブラウザ（２）　（２）にはその受け付け番号（２７）　（２７）が示される。ユーザー（１５）　（１５）は、この受け付け番号（２７）　（２７）をメール（８）　（８）の件名（２５）　（２５）に記入して送信すると、受け付け番号（２７）　（２７）から、支払いフォーム（２４）　（２４）を見つけ、添付された、マネーファイル（１１）　（１１）と、支払いフォーム（２４）　（２４）のフロッピー番号（１３）　（１３）を照合して認証される。次にマネーファイルの番号情報（２３）　（２３）からサーバー内の、そのフロッピーの金額情報（３３）　（３３）を照合し、金額が足りていれば、サービスを発注し、金額情報（３３）　（３３）を書き換える。足りなければ、返信メール（１７）　（１７）で、別の新しいフロッピー（２８）　（２８）のマネーファイル（１１）　（１１）が添付された新しいメール（８）　（８）の件名（２５）　（２５）に、受け付け番号（２７）　（２７）と、用件欄（３４）　（３４）に新しいフロッピー番号（３０）　（３０）を記入して送るように要求する。ユーザー（１５）（１５）がその通りにすると、受け付け番号（２７）　（２７）から支払いフォーム（２４）　（２４）を見つけ、フロッピー番号（３０）　（３０）と、マネーファイル（１１）　（１１）を認証し、足りない金額を差し引き、元のフロッピー（１８）　（１８）を消去し、発注して、パス（１０）　（１０）は、そのフロッピー（２９）　（２９）に受け継がれる。ただし、すでに、パス（１０）　（１０）を持つものは継続される。今回の場合、釣りマガジンのＨＰ（３５）　（３５）への入場が目的だとすると、発注をうけて、メールに釣りマガジンのアドレスを呼び出すＨＰファイル（３６）　（３６）が返信メールで送られ、パスワード（１０）　（１０）が有効になるよう入場フォーム（２４）　（２４）に登録される。ユーザー（１５）　（１５）は、そのＨＰファイル（３７）　（３７）をクリックして、ＨＰを呼び出し、入場フォーム（３１）　（３１）にフロッピー番号（１３）　（１３）とパスワード（１０）　（１０）を記入して送信をクリックすると、ホームページを見ることが出来るようになる。
【０００７】
【発明の効果】
＜サービス形態１＞ユーザーはファイルをクリックするだけでいつでもショッピングタウンを開くことが出来、また購入した場合、その分を取り戻そうとする為に、利用度が増す。又、フロッピーが何時でもユーザーにショッピングタウンを思い出させるため、強い集客力を持つ。＜サービス形態２＞インターネットの、新しいサービスの展開に大いに役立つ。インターネットサービスの新鮮な利用方法として、集客力と便利なサービスの展開に期待を与える。＜サービス形態３＞新しい領収方法として、様々な利用とサービスが考えられる様になる。
【図面の簡単な説明】
【図１】サービス形態１の模式図
【図２】サービス形態２の模式図
【図３】サービス形態３の模式図
【図４】フロッピー番号とマネーファイルの番号の組み合わせの作り方の例
【図５】３．５インチフロッピーディスクドライブを開いた図
【図６】メールファイルをクリックして現れるメール
【図７】支払いの様子
【符号の説明】
（１）　フロッピーディスク
（２）　ブラウザ
（３）　ＨＰファイル
（４）　インターネットショッピングタウン
（５）　（３）を格納したフロッピー
（６）　インターネットショッピングカード
（７）　有料サイト
（８）　サイトのアドレスを付したメール
（９）　メールファイル
（１０）　入場パス
（１１）　マネーファイル
（１２）　（３）（９）（１１）を格納したフロッピー
（１３）　フロッピー番号
（１４）　インターネット釣りマガジン
（１５）　ユーザー
（１６）　３．５インチフロッピーディスクドライブ
（１７）　　返信メール
（１８）　　インターネットカード３０００
（１９）　　集計機
（２０）　　パス確認ファイル
（２１）　　説明書ファイル
（２２）　　金額情報のアドレス
（２３）　　マネーファイルの番号情報
（２４）　　支払いフォーム
（２５）　　件名
（２６）　　インターネットカードのホームページ
（２７）　　受け付け番号
（２８）　　新しいフロッピー
（２９）　　新しいメール
（３０）　　新しいフロッピー番号
（３１）　　入場ホーム
（３２）　　支払いの項
（３３）　　金額情報
（３４）　　用件欄
（３５）　　釣りマガジンのホームページ
（３６）　　釣りマガジンのＨＰファイル
▲１▼　　ユーザーがメールファイルをクリック
▲２▼　　メールにフロッピー番号の記入と添付されたマネーファイル
▲３▼　　パスを受け取る為のメール送信
▲４▼　　フロッピー番号とマネーファイルの番号情報の組み合わせの一致
▲５▼　　パスの発行
▲６▼　　ＨＰファイルをクリックしてインターネットカードのＨＰを呼び出す
▲７▼　　支払いフォームを記入し受け付け番号の発生
▲８▼　　ユーザーが受け付け番号を取得
▲９▼　　支払いフォームが集計機（１９）に届く
▲１０▼　　ユーザーがメールに受け付け番号を記入
▲１１▼　　ユーザーがメールでマネーファイルと共に送信
▲１２▼　　受け付け番号から集計機内の支払いフォームを発見
▲１３▼　　支払いフォームのフロッピー番号とマネーファイルの番号情報の組み合わせが一致
▲１４▼　　集計
▲１５▼　　サービスの実行
▲１６▼　　ユーザーの目的達成
▲１７▼　　金額が足りない事をユーザーに返信
▲１８▼　　新しいフロッピーのメールに受け付け番号と新しいフロッピー番号を記入
▲１９▼　　新しいマネーファイルと共に送信
▲２０▼　　受け付け番号からフォームを発見
【図１】
2004013889.tif 000003
【図２】
2004013889.tif 000004
【図３】
2004013889.tif 000005
【図４】
2004013889.tif 000006
【図５】
2004013889.tif 000007
【図６】
2004013889.tif 000008
【図７】
2004013889.tif 000009